(57)【要約】【課題】電子制御装置において、コネクタを容易に脱着できるようにする。【解決手段】穴部１ｃを有する筐体１と、筐体１内に収納されて、穴部１ｃと上面２ａにて対向するように配置される回路基板２と、回路基板２のうち穴部側の上面２ａ上に配置され、アクチュエータやセンサと電気的に接続するために雄型コネクタ４に嵌合する雌型コネクタ３を備え、雌型コネクタ３は、穴部１ｃの内側に配置されている。これにより、筐体１を分解せずに雌型コネクタ３を脱着することができるので、コネクタを容易に脱着することができる。【選択図】        図１
2004253466.tif 000002
【特許請求の範囲】
【請求項１】
穴部（１ｃ）を有する筐体（１）と、
前記筐体内に収納されて、前記穴部と一面にて対向するように配置される回路基板（２）と、
前記回路基板のうち前記穴部側の一面上に配置され、外部装置と電気的に接続するために相手側嵌合部材（４）に嵌合する嵌合部材（３）と、を備える電子制御装置であって、
前記嵌合部材は、前記穴部の内側に配置されていることを特徴とする電子制御装置。
【請求項２】
前記回路基板のうち前記穴部側の一面上には、前記嵌合部材が複数個設けられており、
前記各嵌合部材は、分散して配置されていることを特徴とする請求項１に記載の電子制御装置。
【請求項３】
前記各嵌合部材は、前記穴部の外周に沿うように配置されていることを特徴とする請求項２に記載の電子制御装置。
【発明の詳細な説明】
【０００１】
【発明の属する技術分野】
本発明は、筐体内に収納されてなる回路基板を有する電子制御装置に関するものである。
【０００２】
【従来の技術】
従来のヒートポンプ式給湯器の電子制御装置の構造について図３、図４を用いて説明する。図３は、電子制御装置を上側から視た図、図４は、図３中Ａ−Ａ断面図である。
【０００３】
先ず、電子制御装置は、樹脂製の筐体１および回路基板２を有しており、筐体１は、電気的ノイズ除去や外部からの異物の進入の阻止のために設けられ、上側筐体１ａおよび下側筐体１ｂを上下に分解可能な挟み込み構造により組み合わさっている。そして、上側筐体１ａにはその上面１ｄにて略四角形の穴部１ｃが設けられている。
【０００４】
回路基板２は、筐体１内に収納されたもので、上面２ａにて筐体１の穴部１ｂと対向するように配置されている。そして、回路基板２には回路パターンが設けられ、回路基板２の上面２ａ上には、半導体素子、抵抗素子以外に、複数の雌型コネクタ３が配置されている。また、各雌型コネクタ３は、ハンダ付けにより回路基板２に固定されている。
【０００５】
各雌型コネクタ３には、それぞれ雄型コネクタ４が嵌合されており、各雄型コネクタ４には電線５（図４では１つの電線５だけを示す）の一端が、それぞれ繋がっている。各電線５はの他端は、筐体１ａの上面１ｄの穴部１ｃ内を通して、電動アクチュエータや各種センサなどの外部装置に電気的に接続されている。このことにより、各雌型コネクタ３は、雄型コネクタ（相手側嵌合部材）４及び各電線５を通して電動アクチュエータや各種センサに電気的に接続されることになる。
【０００６】
また、複数の雌型コネクタ（嵌合部材）３は、図３に示すように、回路基板２の上面２ａの外周に沿い環状に並べられているので、回路パターンのレイアウト設計が容易になる。さらに、各雄型コネクタ４を各雌型コネクタ３から外す作業を行うとき、回路基板２にストレス（応力）がかかるものの、ストレスが回路基板２の一箇所に集中することなく、回路基板２に対してストレスを分散化させることができる。このため、コネクタ４を各雌型コネクタ３から外す作業を数多く行っても、ストレスでハンダが回路基板２から剥がれる可能性を少なくしている。なお、図３中の符号３ａは、雌型コネクタ３のターミナルピンである。
【０００７】
【発明が解決しようとする課題】
しかし、図３に示すように、回路基板２の上面２ａよりも、穴部１ｂの方が小さく、各雌型コネクタ３は、穴部１ｂの外側にそれぞれ配置されているので、各雄型コネクタ４を各雌型コネクタ３から外す作業を行うときには、筐体１を予め上側筐体１ａおよび下側筐体１ｂに分解して筐体１から回路基板２を取り外しておく必要がある。このため、各雄型コネクタ４を各雌型コネクタ３から外すのに手間がかかる。
【０００８】
本発明は、上記点に鑑み、コネクタの脱着を容易にできるようにした電子制御装置を提供することを目的とする。
【０００９】
【課題を解決するための手段】
本発明は、上記目的を達成するために、請求項１に記載の発明では、穴部（１ｃ）を有する筐体（１）と、筐体内に収納されて、穴部と一面にて対向するように配置される回路基板（２）と、回路基板のうち穴部側の一面上に配置され、外部装置と電気的に接続するために相手側嵌合部材（４）に嵌合する嵌合部材（３）と、を備える電子制御装置であって、嵌合部材は、穴部の内側に配置されていることを特徴とする。
【００１０】
これにより、嵌合部材を穴部の内側に配置しているので、筐体を分解せずにコネクタの脱着することができるので、コネクタを容易に脱着することができる。
【００１１】
また、請求項２に記載の発明のように、回路基板のうち穴部側の一面上には、嵌合部材が複数個設けられており、各嵌合部材は、分散して配置されている場合には、嵌合部材を脱着する際に生じるストレスを、回路基板に対して、一箇所に集中させることなく、分散化させることができる。
【００１２】
さらに、請求項３に記載の発明のように、各嵌合部材を穴部の外周に沿うように配置してもよい。
【００１３】
因みに、上記各手段の括弧内の符号は、後述する実施形態に記載の具体的手段との対応関係を示す一例である。
【００１４】
【発明の実施の形態】
図１、図２に本発明の第１実施形態のヒートポンプ式給湯器の電子制御装置を示す。なお、上記した従来技術と同一部分には、同一符号を付して説明を省略し、以下異なる部分についてのみ説明する。
【００１５】
この第１の実施形態では、複数の雌型コネクタ３は、図１、図２に示すように、回路基板２の上面２ａの外周に沿い並べられるのではなく、回路基板２の上面２ａ上にて、穴部１ｂの内側に配置されているため、筐体１を分解せずに、各雄型コネクタ４を各雌型コネクタ３から外したり、各雌型コネクタ３に各雄型コネクタ４を嵌合したりすることができる。
【００１６】
これに加えて、複数の雌型コネクタ３は、穴部１ｂの外周に沿うように環状に配置されている。すなわち、複数の雌型コネクタ３は、一箇所に集中して配置されるのではなく、穴部１ｂの外周に沿うように分散して配置されている。そして、各雄型コネクタ４を各雌型コネクタ３から外したり、各雌型コネクタ３に各雄型コネクタ４を嵌合したりするときには、回路基板２にストレスがかかるものの、ストレスが回路基板２の一箇所に集中することなく、回路基板２に対して分散化させることができる。これに伴い、コネクタ４を各雌型コネクタ３から外す作業を数多く行っても、ストレスでハンダが回路基板２から剥がれる可能性を少なくしている。
【００１７】
上記実施形態では、複数個の雌型コネクタ３を回路基板２上にて穴部１ｂの内側に配置する例について説明したが、これに限らず、穴部１ｂの内側に配置するならば、回路基板２上に雌型コネクタ３を１つだけ配置してもよい。
【図面の簡単な説明】
【図１】本発明の電子制御装置の一実施形態を示す図である。
【図２】図１中のＢ−Ｂ断面図である。
【図３】従来の電子制御装置を示す図である。
【図４】図１中のＡ−Ａ断面図である。
【符号の説明】
１…筐体、１ｃ…穴部、２…回路基板、３…雌型コネクタ。
【図１】
2004253466.tif 000003
【図２】
2004253466.tif 000004
【図３】
2004253466.tif 000005
【図４】
2004253466.tif 000006